(57)【要約】【課題】当該ストロボ装置に適しない高電圧を出力する外部電源装置に接続された場合に、安全に使用することを可能にするストロボ装置を提供する。【解決手段】外部電源入力端子ＴＣ２とメインコンデンサ１２４との間に配置されるスイッチング手段１１９と、メインコンデンサの電圧を検出する検出手段１０８，１１０ａ，１１１と、検出手段により検出された電圧が前記メインコンデンサの定格電圧を超える基準値以上になったときにスイッチング手段を遮断する制御手段１０８，１３０，１２１，１１３とを有するストロボ装置とする。【選択図】図１
2007148211.tif 000002
【特許請求の範囲】
【請求項１】
外部電源入力端子とメインコンデンサとの間に配置されるスイッチング手段と、
前記メインコンデンサの電圧を検出する検出手段と、
前記検出手段により検出された電圧が前記メインコンデンサの定格電圧を超える基準値以上になったときに前記スイッチング手段を遮断する制御手段と、
を有することを特徴とするストロボ装置。
【請求項２】
外部電源入力端子とメインコンデンサとの間に配置されるスイッチング手段と、
前記外部電源入力端子の電圧を検出する検出手段と、
前記検出手段により検出された電圧が前記メインコンデンサの定格電圧を超える基準値以上になったときに前記スイッチング手段を遮断する制御手段と、
を有することを特徴とするストロボ装置。
【請求項３】
前記検出手段により検出される電圧が前記基準値以上である場合、前記スイッチング手段の遮断状態を保持する保持手段を有することを特徴とする請求項１または２のいずれかに記載のストロボ装置。
【請求項４】
前記制御手段は、電源スイッチのオフによっても前記スイッチング手段を遮断することを特徴とする請求項１ないし３のいずれかに記載のストロボ装置。
【請求項５】
前記検出手段により検出される電圧が警告電圧以上になったときに警告を発する警告手段を有することを特徴とする請求項１ないし４のいずれかに記載のストロボ装置。
【請求項６】
前記検出手段により検出される電圧が前記警告電圧以上になったことを記憶する記憶手段を有することを特徴とする請求項５に記載のストロボ装置。
【請求項７】
前記記憶手段に記憶された内容を表示する表示手段を有することを特徴とする請求項６に記載のストロボ装置。
【発明の詳細な説明】
【技術分野】
【０００１】
本発明は、外部電源入力端子を有するストロボ装置に関する。
【背景技術】
【０００２】
従来のストロボ装置用外部電源装置として、ストロボ装置の機種に応じて外部電源の高圧出力を変化させる技術が開示されている（特許文献１参照）。詳しくは、ストロボ装置の機種に応じて外部電源の出力電圧を変化させ、低い電圧で作動するストロボ装置に誤って高い電圧を印加しても、上記ストロボ装置を破壊することを防ぐ技術が開示されている。
【特許文献１】特開２００３−２４１３０１号公報
【発明の開示】
【発明が解決しようとする課題】
【０００３】
しかしながら、上記提案装置においては、ストロボ装置の動作電圧に応じて外部電源の動作電圧を変化させるのは使用者（上記提案の実施例ではアダプタの選択）である。そのため、使用者のミスにより低い電圧で作動するストロボ装置に対して高い電圧の外部電源を接続してしまう恐れがあった。
【０００４】
（発明の目的）
本発明は、当該ストロボ装置に適しない高電圧を出力する外部電源装置に接続された場合に、安全に使用することを可能にするストロボ装置を提供しようとするものである。
【課題を解決するための手段】
【０００５】
上記目的を達成するために、本発明は、外部電源入力端子とメインコンデンサとの間に配置されるスイッチング手段と、前記メインコンデンサの電圧を検出する検出手段と、前記検出手段により検出された電圧が前記メインコンデンサの定格電圧を超える基準値以上になったときに前記スイッチング手段を遮断する制御手段とを有するストロボ装置とするものである。
【０００６】
同じく上記目的を達成するために、本発明は、外部電源入力端子とメインコンデンサとの間に配置されるスイッチング手段と、前記外部電源入力端子の電圧を検出する検出手段と、前記検出手段により検出された電圧が前記メインコンデンサの定格電圧を超える基準値以上になったときに前記スイッチング手段を遮断する制御手段とを有するストロボ装置とするものである。
【発明の効果】
【０００７】
本発明は、当該ストロボ装置に適しない高電圧を出力する外部電源装置に接続された場合に、安全に使用することを可能にするストロボ装置を提供できるものである。
【発明を実施するための最良の形態】
【０００８】
本発明を実施するための最良の形態は、以下の実施例１および実施例２に示す通りである。
【実施例１】
【０００９】
図１は本発明の実施例１に係わるストロボ装置および外部電源装置の構成を示す回路図である。最初に、ストロボ装置側の回路構成について説明する。
【００１０】
図１において、１０１は電源電池である。１０２は電源スイッチであり、一端が電源電池１０１のプラス極に、他端が後述の昇圧回路１０７の入力に、それぞれ接続されている。１０３はコンデンサであり、電源電池１０１と電源スイッチ１０２の直列回路に並列に接続されている。１０４はＤＣ／ＤＣコンバータであり、入力は電源スイッチ１０２の一端に、出力は後述のストロボマイコン１０８のＶＤＤ端子に、それぞれ接続されている。１０５は抵抗であり、一端は後述のストロボマイコン１０８のポートＰ２に、他端はメインコンデンサ１２４の充電完了を報知する後述のＬＥＤ（発光ダイオード）１０６のアノードに、それぞれ接続されている。
【００１１】
１０６は充電完了を報知するＬＥＤであり、アノードは抵抗１０５の一端に、カソードは電源電池１０１のマイナス極（グランド）に、それぞれ接続されている。なお、後述するが、ＬＥＤ１０６は外部電源装置から異常な電圧が与えられた時に警告する警告手段ともなっている。１０７はメインコンデンサ１２４に高圧を充電するための昇圧回路であり、入力は電源スイッチ１０２の一端に、出力は後述のダイオード１０９に、制御端子はストロボマイコン１０８のポートＰ４に、それぞれ接続されている。上記ポートＰ４がハイレベルの時に昇圧回路１０７は動作し、ポートＰ４がローレベルの時に昇圧回路１０７は動作を停止する。１０８はストロボマイコンである。
【００１２】
１０９はダイオードであり、アノードは昇圧回路１０７の出力に、カソードはメインコンデンサ１２４の陽極に、それぞれ接続されている。１１０ａは電圧検出用ツェナーダイオードであり、カソードはメインコンデンサ１２４の陽極に、アノードは後述の抵抗１１１の一端に、それぞれ接続されている。１１１は抵抗であり、一端はグランドに、他端はツェナーダイオード１１０ａのアノードに、それぞれ接続されている。１１２は抵抗であり、一端は後述のトランジスタ１１３のベースに、他端はツェナーダイオード１１０ａのアノードに、それぞれ接続されている。１１３はＮＰＮトランジスタであり、ベースは抵抗１１２の一端に、エミッタはグランドに、コレクタは後述の抵抗１１４の一端に、それぞれ接続されている。１１４は抵抗であり、一端はＤＣ／ＤＣコンバータ１０４の出力に、他端はトランジスタ１１３のコレクタに、それぞれ接続されている。１１５は抵抗であり、一端はトランジスタ１１３のコレクタに、他端は後述のトランジスタ１２１のベースに、それぞれ接続されている。
【００１３】
１１６はダイオードであり、アノードは後述の外部電源と接続される高圧入力端子ＴＣ２に、カソードは後述の抵抗１１７の一端に、それぞれ接続されている。１１７は抵抗であり、一端はダイオード１１６のカソードに、他端は後述の抵抗１１８の一端に、それぞれ接続されている。１１８は抵抗であり、一端は後述のトランジスタ１１９のエミッタに、他端はベースに、それぞれ接続されている。１１９はＰＮＰトランジスタであり、ベースは抵抗１２０の一端に、エミッタは抵抗１１７と抵抗１１８の接続点に、コレクタはメインコンデンサ１２４の陽極に、それぞれ接続されている。１２０は抵抗であり、一端はトランジスタ１１９のベースに、他端はトランジスタ１２１のコレクタに、それぞれ接続されている。１２１はＮＰＮトランジスタであり、ベースは抵抗１１５の一端に、エミッタはグランドに、コレクタは抵抗１２０の一端に、それぞれ接続されている。１２２は抵抗であり、一端はメインコンデンサ１２４の陽極に、他端は後述の抵抗１２３に、それぞれ接続されている。１２３は抵抗であり、一端は抵抗１２２の一端に、他端はグランドに、それぞれ接続されている。上記抵抗１２２と抵抗１２３の接続点はストロボマイコン１０８のポートＰ１に接続され、ストロボマイコン１０８は該ポートＰ１を介して接続点の電圧を監視する。
【００１４】
１２４はメインコンデンサであり、抵抗１２２と抵抗１２３の直列回路と並列に接続されている。該メインコンデンサ１２４の定格は３３０Ｖであり、この電圧を超えて例えば３５０Ｖ以上で使用すると該メインコンデンサ１２４の防爆弁が作動し、電解液が外部に流出して外部の電気回路を損傷する可能性がある。１２５は不図示のカメラのシンクロスイッチである。１２６はトリガ回路であり、入力はシンクロスイッチ１２５の接点の一端に、出力は後述の閃光放電管１２７のトリガ電極に、それぞれ接続されている。シンクロ接点１２５がオンになるとトリガ回路１２６が作動し、閃光放電管１２７のトリガ電極に高周波高圧が与えられ、該閃光放電管１２７が発光を開始する。
【００１５】
１２７は閃光放電管であり、メインコンデンサ１２４と並列に接続されている。１２８は抵抗であり、一端はストロボマイコン１０８のポートＰ５に、他端は後述のトランジスタ１３０のベースに、それぞれ接続されている。１２９は抵抗であり、一端はトランジスタ１３０のベースに、他端はグランドに、それぞれ接続されている。１３０はＮＰＮトランジスタであり、ベースは抵抗１２８の一端に、コレクタはトランジスタ１２１のベースに、エミッタはグランドに、それぞれ接続されている。ストロボマイコン１０８のポートＰ６はツェナーダイオード１１０ａのアノードに接続されている。ＴＣ１はストロボ装置側のグランド端子であり、外部電源装置が接続されると該外部電源装置の端子ＴＧ１に接続される。ＴＣ２はストロボ装置側の高圧入力端子であり、外部電源装置が接続されると該外部電源装置の端子ＴＧ２に接続される。
【００１６】
次に、外部電源装置側の回路構成について説明する。
【００１７】
１３１は外部電源側の電源電池であり、一端は端子ＴＧ１に、他端は後述の電源スイッチ１３２の一端に、それぞれ接続されている。１３２は電源スイッチであり、一端は電源電池１３１のプラス極に、他端は昇圧回路１３７の入力に、それぞれ接続されている。１３３はコンデンサであり、電源電池１３１と電源スイッチ１３２の直列回路と並列に接続されている。１３４はＤＣ／ＤＣコンバータであり、入力は電源スイッチ１３２の一端に、他端は後述の外部電源マイコン１３８の電源端子（ＶＤＤ端子）に、それぞれ接続されている。１３５は抵抗であり、一端は外部電源マイコン１３８のポートＰ３に、他端は後述の昇圧動作確認用ＬＥＤ１３６のアノードに、それぞれ接続されている。１３６は昇圧動作確認用ＬＥＤであり、一端は抵抗１３５の一端に、他端は端子ＴＧ１に、それぞれ接続されている。
【００１８】
１３７は上記ストロボ装置のメインコンデンサ１２４を充電するための昇圧回路であり、入力は電源スイッチの一端に、出力は後述のダイオード１３９のアノードに、制御端子は外部電源マイコン１３８のポートＰ１に、それぞれ接続されている。上記ポートＰ１がハイレベルの時に昇圧回路１３７は動作し、ローレベルの時に昇圧回路１３７は動作を停止する。１３８は外部電源マイコンである。１３９はダイオードであり、アノードは昇圧回路１３７の出力に、カソードは後述のダイオード１４３のアノードに、それぞれ接続されている。１４０は抵抗であり、一端はダイオード１３９のカソードに、他端は抵抗１４１の一端に、それぞれ接続されている。１４１は抵抗であり、一端は抵抗１４０の一端に、他端は端子ＴＧ１に、それぞれ接続されている。抵抗１４０と１４１の接続点は外部電源マイコン１３８のポートＰ２に接続されており、接続点の電圧を監視している。１４２はコンデンサであり、抵抗１４０と抵抗１４１の直列回路に並列に接続されている。１４３はダイオードであり、アノードはダイオード１３９のカソードに、カソードは外部電源出力端子ＴＧ２に、それぞれ接続されている。
【００１９】
次に、上記構成におけるストロボ装置および外部電源装置の動作について説明する。最初にストロボ装置の動作について説明する。この場合、外部電装置は動作をしていない状態である。
【００２０】
電源スイッチ１０２がオンすると、ＤＣ／ＤＣコンバータ１０４が動作を開始し、ストロボマイコン１０８が動作を開始してポートＰ４をハイレベルにする。ポートＰ４のハイレベルにより昇圧回路１０７が動作を開始し、メインコンデンサ１２４への充電が開始される。メインコンデンサ１２４の電圧は、抵抗１２２と抵抗１２３の接続点からストロボマイコン１０８のポートＰ１を介して該ストロボマイコン１０８にて検出される。メインコンデンサ１２４の電圧が閃光放電管１２７の発光に充分な電圧（充電完了電圧）になると、ストロボマイコン１０８はポートＰ２をハイレベルとして充電完了を報知するＬＥＤ１０６を点灯させ、使用者に充電完了を報知する。
【００２１】
その後、メインコンデンサ１２４の電圧がフル充電状態（約３３０Ｖ）に達すると、ストロボマイコン１０８のポートＰ４がローレベルとなり、昇圧回路１０７が動作を停止する。メインコンデンサ１２４の電圧が低下すると、上記ポートＰ４が再びオンし、昇圧回路１０７がオンとなる。そして、メインコンデンサ１２４への充電が再び行われ、フル充電状態に達すると再び充電が停止され、上記動作が繰り返されることで上記メインコンデンサ１２４の充電電圧がほぼ一定の電圧に保たれる。
【００２２】
上記ＬＥＤ１０６が点灯している状態で不図示のカメラのシンクロスイッチ１２５がオンすると、トリガ回路１２６が動作し、閃光放電管１２７のトリガ電極に高周波高電圧が与えられ、該閃光放電管１２７は発光する。
【００２３】
ここで、トランジスタ１１９の状態について説明する。ＤＣ／ＤＣコンバータ１０４の動作開始に応じて抵抗１１４に電圧が与えられる。ツェナーダイオード１１０ａは３４０Ｖで電流が流れる仕様であるからトランジスタ１１３はオフであり、トランジスタ１２１はオンとなる。トランジスタ１１９はエミッタ電圧が与えられるとオン状態となる。なお、ストロボマイコン１０８のポートＰ５はポートＰ６がローレベルの時はローレベルであり、ハイレベルの時はハイレベルである。従って、ツェナーダイオード１１０ａに電流が流れていない状態ではトランジスタ１３０はオフ状態である。
【００２４】
次に、電源スイッチ１０２がオンされているストロボ装置に外部電源装置が接続され、この状態で外部電源装置の電源スイッチ１３２がオンになった場合の動作について説明する。
【００２５】
本実施例１における外部電源装置は上記ストロボ装置に適した電圧を出力しないものであり、詳細は後述するが、ストロボ装置への外部電源出力端子ＴＧ２の電圧は３６０Ｖまで昇圧されるものとする。
【００２６】
外部電源装置の電源スイッチ１３２がオンされると、ＤＣ／ＤＣコンバータ１３４が作動を開始し、出力電圧が外部電源マイコン１３８の端子ＶＤＤに与えられ、該外部電源マイコン１３８は動作を開始し、ポートＰ１の出力がハイレベルとなる。外部電源マイコン１３８のポートＰ１のハイレベルにより昇圧回路１３７が動作を開始する。コンデンサ１４２はダイオード１３９を介して充電され、ダイオード１４３およびストロボ装置側のダイオード１１６、抵抗１１７、トランジスタ１１９を介してメインコンデンサ１２４が充電される。つまり、外部電源装置側のコンデンサ１４２の電圧は、ダイオード１４３、端子ＴＧ２，ＴＣ２、ストロボ装置側のダイオード１１６、抵抗１１７、トランジスタ１１９を介してメインコンデンサ１２４に与えられる。
【００２７】
上記コンデンサ１４２の電圧は、抵抗１４０と抵抗１４１の接続点から外部電源マイコン１３８のポートＰ２を介して該外部電源マイコン１３８にて検出される。コンデンサ１４２が３６０Ｖになると、外部電源マイコン１３８はポートＰ１をローレベルにして昇圧１３７の動作を停止する。コンデンサ１４２の電圧が３６０Ｖより下がると、外部電源マイコン１３８のポートＰ１がハイレベルになり、昇圧回路１３７が動作を開始する。これにより、コンデンサ１４２の電圧は３６０Ｖで安定する。
【００２８】
外部電源装置からの電流でメインコンデンサ１２４の電圧がストロボマイコン１０８のポートＰ１を介して３３５Ｖ（警告電圧）になったことを検出されたとする。すると、ストロボマイコン１０８はポートＰ２の出力を周期的にハイレベルとローレベルを繰り返させ、充電完了を示すＬＥＤ１０６を点滅させてメインコンデンサ１２４の充電電圧が定格電圧以上になったことを使用者に警告する。
【００２９】
この時、使用者は、外部電源装置の電源スイッチ１３２をオフするか、あるいは、外部電源装置をストロボ装置から切り離す操作をすることが好ましい。また、メインコンデンサ１２４の検出電圧が３３５Ｖ以上になった場合、不図示の不揮発性メモリに上記超えたことを記憶させても良い。また、記憶させたことを不図示の表示手段に表示しても良い。
【００３０】
外部電源装置からの電流でメインコンデンサ１２４の電圧がさらに高くなって３４０Ｖに達すると、ツェナーダイオード１１０ａに電流が流れ、トランジスタ１１３はオンとなり、トランジスタ１２１をオフとする。トランジスタ１２１のオフによりトランジスタ１１９もオフとなり、外部電源装置からの電流は遮断される。
【００３１】
また、上記のようにツェナーダイオード１１０ａに電流が流れると、ストロボマイコン１０８のポートＰ６がハイレベルとなるので該ストロボマイコン１０８はポート５をハイレベルにする。このポート５のハイレベルによりトランジスタ１３０がオンとなり、トランジスタ１２１のベース、グランド間がショートされ、電源スイッチ１０２がオフするまでこの状態が保持される。従って、トランジスタ１２１は外部電源装置からの充電が停止してメインコンデンサ１２４の電圧が降下してもオンに復帰することは無い。
【００３２】
上記のようにトランジスタ１２１のオフを継続させる目的は、一度外部電源装置より高圧が与えられて該外部電源装置からの充電が停止した後、該外部電源装置の電源スイッチ１３２が切られて再びオンされたとする。この場合でも、外部電源装置からの充電を禁止し、メインコンデンサ１２４が定格電圧より高く充電されることを防止するためである。
【００３３】
本実施例１においては、ストロボ装置側の電源スイッチ１０２がオフされると、トランジスタ１２１はベース電流が供給されないのでオフ状態であり、従ってトランジスタ１１９もオフ状態である。よって、外部電源装置がオンになっていても、該外部電源装置からメインコンデンサ１２４を充電することがないので、該コンデンサ１２４は定格電圧を超えることはない。ツェナーダイオード１１０ａによる検出電圧を３４０Ｖとしたのは、３３０Ｖの定格のメインコンデンサ１２４は短時間に３４０Ｖを印加しても通常問題がないとされているので上記電圧値を選択している。
【００３４】
なお、ツェナーダイオード１１０ａと抵抗１１１より成る検出手段を用いずとも良い。例えば、メインコンデンサ１２４の電圧が３４０Ｖ以上になったことを、抵抗１２２，１２３の分圧電圧によりストロボマイコン１０８が検出し、トランジスタ１１３をオフにするようにしても良い。また、３４０Ｖ以上になったときに、ＬＥＤ１０６の点滅による警告、該警告の記憶を行うようにしても良い。
【実施例２】
【００３５】
図２は本発明の実施例２に係わるストロボ装置および外部電源装置の構成を示す回路図である。
【００３６】
上記実施例１では、電圧検出用のツェナーダイオード１１０ａのカソードがメインコンデンサ１２４の陽極に接続されていた。本発明の実施例２では、電圧検出用のツェナーダイオード１１０ａのカソードが外部電源装置との接続端子に接続されているようにしている。その他の構成は上記実施例１と同様であり、図１と動作が同じ部分に関してはその説明を省略する。
【００３７】
電源スイッチ１０２がオンになったストロボ装置と外部電源装置を接続し、該外部電源装置の電源スイッチ１３２がオンしたとする。この状態において外部電源装置側の外部電源出力端子ＴＧ２の電圧が３４０Ｖになったとすると、ストロボ装置側のツェナーダイオード１１０ａに電流が流れる。そして、図１の場合と同様、トランジスタ１１９がオフになり、外部電源装置からストロボ装置への充電が禁止される。
【００３８】
また、この状態は、図１と同様、電源スイッチ１０２がオフされるまで持続される。メインコンデンサ１２４の電圧が３３５Ｖに達した際には警告するのも図１の動作と同様である。さらに、ストロボ装置の電源スイッチ１０２がオフの時、外部電源装置からストロボ装置への充電が禁止されることも図１と同様である。
【００３９】
本実施例２では、高圧入力端子ＴＣ２の電圧を検出している。よって、電流制限用の抵抗１１７による充電時の電圧降下によるメインコンデンサ１２４の充電の遅れによる検出の遅れを生じること無しに外部電源装置の出力電圧を検出可能となる利点を有する。
【００４０】
最後に、上記実施例１および実施例２における効果について、以下にまとめて列挙する。
【００４１】
メインコンデンサ１２４の電圧を検出した結果、該電圧が基準値以上の時には、高圧入力端子ＴＣ２とメインコンデンサ１２４との間にあるトランジスタ１１９を制御するストロボマイコン１０８等より成る制御手段を具備している。該制御手段は、上記トランジスタ１１９により、高圧入力端子ＴＣ２からメインコンデンサ１２４への電流を制御する構成にしている。または、高圧入力端子ＴＣ２の電圧を検出した結果に基づいて上記トランジスタ１１９を制御するストロボマイコン１０８等より成る制御手段を具備している。該制御手段は、上記トランジスタ１１９により、高圧入力端子ＴＣ２からメインコンデンサ１２４への電流を制御する構成にしている。
【００４２】
従って、ストロボ装置に適していない高電圧を出力する外部電源装置がストロボ装置に接続された場合においても、上記外部電源装置からストロボ装置のメインコンデンサ１２４への電流が制御される。そのため該メインコンデンサ１２４に破壊に至る電圧が加わることはない。よって、安全にストロボ装置を使用することが可能となる。
【００４３】
さらに、上記メインコンデンサ１２４の電圧を検出した結果、もしくは、高圧入力端子ＴＣ２の電圧を検出した結果、該電圧が基準値以上の時には警告手段を兼用するＬＥＤ１０６により警告を行う構成にしている。よって、異常な電圧が検出された時は警告が行われるので、使用者に確実に危険であること知らせることができるものとなる。
【００４４】
さらに、上記電圧が基準値以上の場合は、トランジスタ１１９によるメインコンデンサ１２４への電流の遮断を保持する構成にしている。このように、外部電源装置からの電圧が異常であると検出されたら、外部電源装置からメインコンデンサ１２４への充電路を断ち続けるので、ストロボ装置の安全を保つことが可能となる。
【００４５】
さらに、電源スイッチ１０２のオフによりトランジスタ１１９をオフすることで、該トランジスタ１１９により、高圧入力端子ＴＣ２からメインコンデンサ１２４への電流を阻止するようにしている。よって、ストロボ装置の電源スイッチがオフの時に該外部電源装置が接続されても、メインコンデンサ１２４が異常な電圧に充電されてしまうことがない。
【００４６】
また、外部電源装置から充電されるメインコンデンサ１２４の電圧を検出した結果、メインコンデンサ１２４の電圧が定格電圧より高い基準値を超えた場合は、警告手段であるＬＥＤ１０６により警告するようにしている。よって、メインコンデンサ１２４が異常な電圧に充電されたことを使用者が認識できるので、使用者が外部電源装置のスイッチをオフにするか、あるいは、取り外すことができ、ストロボ装置の安全性を保つことができる。
【００４７】
また、外部電源装置から充電されるメインコンデンサ１２４の電圧を検出した結果、メインコンデンサ１２４の電圧が定格電圧より高い基準値を超えた場合には、不図示の記憶手段にこのことを記憶させるようにしている。よって、メインコンデンサ１２４が外部電源装置により異常な電圧に充電されたことを製造者が上記記憶手段の内容より確認することが可能となる。
【００４８】
さらに、上記記憶手段に記憶された内容を不図示の表示手段により表示することも可能である。よって、使用者も外部電源装置により異常な電圧がメインコンデンサ１２４に充電されたことがわかり、上記外部電源装置を以後使用しないようにすることが可能となる。
【図面の簡単な説明】
【００４９】
【図１】本発明の実施例１に係わるストロボ装置および外部電源装置の構成を示す回路図である。
【図２】本発明の実施例２に係わるストロボ装置および外部電源装置の構成を示す回路図である。
【符号の説明】
【００５０】
１０２                  電源スイッチ
１０６                  ＬＥＤ（警告手段）
１０８                  ストロボマイコン（制御手段の一部）
１１０ａ                ツェナーダイオード（制御手段の一部）
１１３，１２１，１３０  トランジスタ
１１９                  トランジスタ（スイッチング素子）
１２２，１２３          抵抗（検出手段の一部）
１２４                  メインコンデンサ
１２７                  閃光放電管
１３８                  外部電源マイコン
ＴＣ２                  高圧入力端子（外部電源入力端子）
【図１】
2007148211.tif 000003
【図２】
2007148211.tif 000004